(57)【特許請求の範囲】
【請求項１】
ユーザが利用するネットワーク機能を有する電話機であるユーザ電話機と、相手先が利用する電話機である相手先電話機との間でネットワークまたは電話交換網を介して音声の送受信が行えるサーバである電話接続サービスシステムであって、
前記サーバは、
前記相手先のＩＤと電話番号と接続可能時間とを少なくとも格納している会員データベースと、
前記サーバと前記ユーザ電話機との電話回線接続を確立する回線受付手段と、
前記ユーザが架電の際に指定した相手先のＩＤに基づいて、前記会員データベースを検索することで、その会員の接続可能時間であるかを判断する検索手段と、
前記相手先が接続可能時間であった場合、前記相手先電話機に対して架電をし、前記相手先電話機が応答した場合、前記サーバと前記相手先電話機との間で電話回線接続を確立し、前記相手先電話機に対して、前記ユーザのＩＤを通知する相手先接続手段と、
前記サーバと前記ユーザ電話機との電話回線接続と、前記サーバと前記相手先電話機との電話回線接続とを互いに接続し、前記ユーザ電話機と前記相手先電話機との間で音声の送受信を行わせる回線接続手段と、
を有することを特徴とする電話接続サービスシステム。
【請求項２】
ユーザが利用するネットワーク機能を有する電話機であるユーザ電話機と、相手先が利用する電話機である相手先電話機との間でネットワークまたは電話交換網を介して音声の送受信が行えるサーバである電話接続サービスシステムであって、
前記サーバは、
前記相手先のＩＤと電話番号とを少なくとも含む属性を格納している会員データベースと、
前記サーバと前記ユーザ電話機との電話回線接続を確立する回線受付手段と、
前記ユーザ電話機から検索条件と会員検索要求とを受け付け、前記会員データベースに基づいて会員検索を行う検索手段と、
前記会員検索の結果、前記検索条件に該当する相手先の前記相手先電話機に対して架電をし、前記相手先電話機が応答した場合、前記サーバと前記相手先電話機との間で電話回線接続を確立し、前記相手先電話機に対して、前記ユーザのＩＤを通知する相手先接続手段と、
前記サーバと前記ユーザ電話機との電話回線接続と、前記サーバと前記相手先電話機との電話回線接続とを互いに接続し、前記ユーザ電話機と前記相手先電話機との間で音声の送受信を行わせる回線接続手段と、
を有することを特徴とする電話接続サービスシステム。
【請求項３】
前記サーバは、さらに、
前記ユーザ電話機と前記相手先電話機との電話回線が互いに接続されたことを受けて、電話回線接続後予め定められた時間を経過後、前記ユーザ又は前記相手先に対して課金を開始する課金手段、
を有することを特徴とする請求項１または請求項２に記載の電話接続サービスシステム。
【請求項４】
前記課金手段は、さらに、
前記ユーザ電話機と前記相手先電話機との電話回線が切断されたことを受けて課金を終了する、
ことを特徴とする請求項３に記載の電話接続サービスシステム。
【請求項５】
前記サーバは、さらに、
前記ユーザ電話機または前記ユーザが利用するコンピュータ端末であるユーザ端末から会員登録データを受信することによって、会員登録を行う会員登録手段、
を有することを特徴とする請求項１から請求項４のいずれかに記載の電話接続サービスシステム。
【請求項６】
前記会員データベースには、さらに、前記ユーザの電話番号を格納しており、
前記サーバは、さらに、
前記ユーザ電話機から前記ユーザ電話機の電話番号を受信し、前記会員データベースを検索することで予め登録されているユーザであるか否かを認証する認証手段、
を有することを特徴とする請求項１から請求項５のいずれかに記載の電話接続サービスシステム。
【請求項７】
前記検索手段は、前記相手先が規定コール内に応答しない場合には、前記相手先の次点の候補者を特定し、
前記相手先接続手段は、前記次点の候補者に架電する、
ことを特徴とする請求項２に記載の電話接続サービスシステム。
【請求項８】
ユーザが利用するネットワーク機能を有する電話機であるユーザ電話機と、相手先が利用する電話機である相手先電話機との間でネットワークまたは電話交換網を介して音声の送受信が行えるサーバである電話接続サービスシステムであって、
前記サーバは、
前記相手先のＩＤと電話番号と接続可能時間とを少なくとも格納している会員データベースと、
前記サーバと前記ユーザ電話機との電話回線接続を確立する回線受付手段と、
前記ユーザが架電の際に指定した相手先のＩＤに基づいて、前記会員データベースを検索することで、その会員の接続可能時間であるかを判断する検索手段と、
前記相手先が接続可能時間であった場合、前記相手先電話機に対して架電をし、前記サーバと前記相手先電話機との間で電話回線接続を確立し、前記相手先電話機に対して、前記ユーザのＩＤを通知する相手先接続手段と、
前記サーバと前記ユーザ電話機との電話回線接続と、前記サーバと前記相手先電話機との電話回線接続とを互いに接続し、前記ユーザ電話機と前記相手先電話機との間で音声の送受信を行わせる回線接続手段と、を有しており、
前記検索手段は、
前記相手先電話機が他の通話相手と前記サーバを介して既に電話回線接続されている状態であって前記ユーザ電話機から強制接続要求を受信した場合には、前記強制接続要求が為された旨のメッセージを前記相手先電話機に送信し、
前記相手先電話機から強制接続了承のメッセージを受信した場合には、前記相手先電話機が現在接続している前記他の通話相手の電話回線接続を切断する要求を送信し、
前記回線接続手段に対して前記ユーザ電話機と前記相手先電話機との電話回線を接続する要求を送信し、
前記回線接続手段は、
前記相手先電話機と前記他の通話相手との電話回線接続が切断後、前記ユーザ電話機と前記サーバとの電話回線と、前記相手先電話機と前記サーバとの電話回線とを互いに接続し、前記ユーザ電話機と前記相手先電話機との間で音声の送受信を行わせる、
ことを特徴とする電話接続サービスシステム。
【請求項９】
ユーザが利用するネットワーク機能を有する電話機であるユーザ電話機と、相手先が利用する電話機である相手先電話機との間でネットワークまたは電話交換網を介して音声の送受信が行えるサーバである電話接続サービスシステムであって、
前記サーバは、
前記相手先のＩＤと電話番号とを少なくとも含む属性を格納している会員データベースと、
前記サーバと前記ユーザ電話機との電話回線接続を確立する回線受付手段と、
前記ユーザ電話機から検索条件と会員検索要求とを受け付け、前記会員データベースに基づいて会員検索を行う検索手段と、
前記会員検索の結果、前記検索条件に該当する相手先の前記相手先電話機に対して架電をし、前記サーバと前記相手先電話機との間で電話回線接続を確立し、前記相手先電話機に対して、前記ユーザのＩＤを通知する相手先接続手段と、
前記サーバと前記ユーザ電話機との電話回線接続と、前記サーバと前記相手先電話機との電話回線接続とを互いに接続し、前記ユーザ電話機と前記相手先電話機との間で音声の送受信を行わせる回線接続手段と、を有しており、
前記検索手段は、
前記相手先電話機が他の通話相手と前記サーバを介して既に電話回線接続されている状態であって前記ユーザ電話機から強制接続要求を受信した場合には、前記強制接続要求が為された旨のメッセージを前記相手先電話機に送信し、
前記相手先電話機から強制接続了承のメッセージを受信した場合には、前記相手先電話機が現在接続している前記他の通話相手の電話回線接続を切断する要求を送信し、
前記回線接続手段に対して前記ユーザ電話機と前記相手先電話機との電話回線を接続する要求を送信し、
前記回線接続手段は、
前記相手先電話機と前記他の通話相手との電話回線接続が切断後、前記ユーザ電話機と前記サーバとの電話回線と、前記相手先電話機と前記サーバとの電話回線とを互いに接続し、前記ユーザ電話機と前記相手先電話機との間で音声の送受信を行わせる、
ことを特徴とする電話接続サービスシステム。
【発明の詳細な説明】
【０００１】
【発明の属する技術分野】
本発明は、ユーザが希望する属性を有する人間に対して匿名で電話を接続する電話接続サービスシステムに関する。
【０００２】
【従来の技術】
ユーザが何かある分野に関して情報を得たい場合、インターネットの検索エンジンに検索キーワードを入力し検索し、その検索結果を閲覧することによって、ユーザが関心のある情報を得ることを行っている。
【０００３】
【発明が解決しようとする課題】
しかし、前記方法の場合であると、検索結果が多数発生してくる可能性もあり、その場合には、ユーザが希望する情報の閲覧を探す手間が非常に負担となっている。又検索結果が少ない数である場合であっても、ユーザが真に知りたい情報に関しては記載されていない場合が多数ある。これは、従来のインターネット検索エンジンが、単にホームページの作成者が作成したホームページを見つけだすことしか出来ない為である。
【０００４】
このような点を鑑みて、ホームページ上に各分野のエキスパート一人の電子メールアドレスを公開し、このエキスパートに対してユーザが電子メールで質問を行うことによって、ユーザが希望する情報を入手できるという方法が考案された。
【０００５】
前記方法の場合にはエキスパートに対してユーザがアクセスを行う際には、電子メールという手法に限定されている為、ユーザはエキスパートからいつ回答を受けられるのかが分からない、又電子メールというアクセスの特性上、ユーザの身元（電子メールアドレス）を公開しないと回答を受けられない等の問題点がある。
【０００６】
例えばパソコンが動かなくなってしまったが周りには誰もいないといった状況や事故に遭ってしまったが知り合いに弁護士がいない等の状況下、即ち、今すぐ正確な情報を得たいといった場合に、従来のような手法では対処できないのが問題となっている。
【０００７】
【課題を解決するための手段】
本発明者は上記問題点に鑑み、電話交換機能を有するサーバに対してユーザがアクセスをし、そのサーバに対してユーザが知りたい情報を指定すると、該当すると思われる人（以下、相手先）を検索しその相手先と自動的に電話を接続する、電話接続サービスシステムを考案した。
【０００８】
請求項１の発明は、ユーザが利用するネットワーク機能を有する電話機であるユーザ電話機と、相手先が利用する電話機である相手先電話機との間でネットワークまたは電話交換網を介して音声の送受信が行えるサーバである電話接続サービスシステムであって、前記サーバは、前記相手先のＩＤと電話番号と接続可能時間とを少なくとも格納している会員データベースと、前記サーバと前記ユーザ電話機との電話回線接続を確立する回線受付手段と、前記ユーザが架電の際に指定した相手先のＩＤに基づいて、前記会員データベースを検索することで、その会員の接続可能時間であるかを判断する検索手段と、前記相手先が接続可能時間であった場合、前記相手先電話機に対して架電をし、前記相手先電話機が応答した場合、前記サーバと前記相手先電話機との間で電話回線接続を確立し、前記相手先電話機に対して、前記ユーザのＩＤを通知する相手先接続手段と、前記サーバと前記ユーザ電話機との電話回線接続と、前記サーバと前記相手先電話機との電話回線接続とを互いに接続し、前記ユーザ電話機と前記相手先電話機との間で音声の送受信を行わせる回線接続手段と、を有する電話接続サービスシステムである。
【０００９】
請求項２の発明は、ユーザが利用するネットワーク機能を有する電話機であるユーザ電話機と、相手先が利用する電話機である相手先電話機との間でネットワークまたは電話交換網を介して音声の送受信が行えるサーバである電話接続サービスシステムであって、前記サーバは、前記相手先のＩＤと電話番号とを少なくとも含む属性を格納している会員データベースと、前記サーバと前記ユーザ電話機との電話回線接続を確立する回線受付手段と、前記ユーザ電話機から検索条件と会員検索要求とを受け付け、前記会員データベースに基づいて会員検索を行う検索手段と、前記会員検索の結果、前記検索条件に該当する相手先の前記相手先電話機に対して架電をし、前記相手先電話機が応答した場合、前記サーバと前記相手先電話機との間で電話回線接続を確立し、前記相手先電話機に対して、前記ユーザのＩＤを通知する相手先接続手段と、前記サーバと前記ユーザ電話機との電話回線接続と、前記サーバと前記相手先電話機との電話回線接続とを互いに接続し、前記ユーザ電話機と前記相手先電話機との間で音声の送受信を行わせる回線接続手段と、を有する電話接続サービスシステムである。
【００１０】
請求項３の発明において、前記サーバは、さらに、前記ユーザ電話機と前記相手先電話機との電話回線が互いに接続されたことを受けて、電話回線接続後予め定められた時間を経過後、前記ユーザ又は前記相手先に対して課金を開始する課金手段、を有する電話接続サービスシステムである。
【００１１】
請求項４の発明において、前記課金手段は、さらに、前記ユーザ電話機と前記相手先電話機との電話回線が切断されたことを受けて課金を終了する、電話接続サービスシステムである。
【００１２】
請求項５の発明において、前記サーバは、さらに、前記ユーザ電話機または前記ユーザが利用するコンピュータ端末であるユーザ端末から会員登録データを受信することによって、会員登録を行う会員登録手段、を有する電話接続サービスシステムである。
【００１３】
請求項６の発明において、前記会員データベースには、さらに、前記ユーザの電話番号を格納しており、前記サーバは、さらに、前記ユーザ電話機から前記ユーザ電話機の電話番号を受信し、前記会員データベースを検索することで予め登録されているユーザであるか否かを認証する認証手段、を有する電話接続サービスシステムである。
【００１４】
請求項７の発明において、前記検索手段は、前記相手先が規定コール内に応答しない場合には、前記相手先の次点の候補者を特定し、前記相手先接続手段は、前記次点の候補者に架電する、電話接続サービスシステムである。
【００１５】
請求項８の発明は、ユーザが利用するネットワーク機能を有する電話機であるユーザ電話機と、相手先が利用する電話機である相手先電話機との間でネットワークまたは電話交換網を介して音声の送受信が行えるサーバである電話接続サービスシステムであって、前記サーバは、前記相手先のＩＤと電話番号と接続可能時間とを少なくとも格納している会員データベースと、前記サーバと前記ユーザ電話機との電話回線接続を確立する回線受付手段と、前記ユーザが架電の際に指定した相手先のＩＤに基づいて、前記会員データベースを検索することで、その会員の接続可能時間であるかを判断する検索手段と、前記相手先が接続可能時間であった場合、前記相手先電話機に対して架電をし、前記サーバと前記相手先電話機との間で電話回線接続を確立し、前記相手先電話機に対して、前記ユーザのＩＤを通知する相手先接続手段と、前記サーバと前記ユーザ電話機との電話回線接続と、前記サーバと前記相手先電話機との電話回線接続とを互いに接続し、前記ユーザ電話機と前記相手先電話機との間で音声の送受信を行わせる回線接続手段と、を有しており、前記検索手段は、前記相手先電話機が他の通話相手と前記サーバを介して既に電話回線接続されている状態であって前記ユーザ電話機から強制接続要求を受信した場合には、前記強制接続要求が為された旨のメッセージを前記相手先電話機に送信し、前記相手先電話機から強制接続了承のメッセージを受信した場合には、前記相手先電話機が現在接続している前記他の通話相手の電話回線接続を切断する要求を送信し、前記回線接続手段に対して前記ユーザ電話機と前記相手先電話機との電話回線を接続する要求を送信し、前記回線接続手段は、前記相手先電話機と前記他の通話相手との電話回線接続が切断後、前記ユーザ電話機と前記サーバとの電話回線と、前記相手先電話機と前記サーバとの電話回線とを互いに接続し、前記ユーザ電話機と前記相手先電話機との間で音声の送受信を行わせる、電話接続サービスシステムである。
【００１６】
請求項９の発明は、ユーザが利用するネットワーク機能を有する電話機であるユーザ電話機と、相手先が利用する電話機である相手先電話機との間でネットワークまたは電話交換網を介して音声の送受信が行えるサーバである電話接続サービスシステムであって、前記サーバは、前記相手先のＩＤと電話番号とを少なくとも含む属性を格納している会員データベースと、前記サーバと前記ユーザ電話機との電話回線接続を確立する回線受付手段と、前記ユーザ電話機から検索条件と会員検索要求とを受け付け、前記会員データベースに基づいて会員検索を行う検索手段と、前記会員検索の結果、前記検索条件に該当する相手先の前記相手先電話機に対して架電をし、前記サーバと前記相手先電話機との間で電話回線接続を確立し、前記相手先電話機に対して、前記ユーザのＩＤを通知する相手先接続手段と、前記サーバと前記ユーザ電話機との電話回線接続と、前記サーバと前記相手先電話機との電話回線接続とを互いに接続し、前記ユーザ電話機と前記相手先電話機との間で音声の送受信を行わせる回線接続手段と、を有しており、前記検索手段は、前記相手先電話機が他の通話相手と前記サーバを介して既に電話回線接続されている状態であって前記ユーザ電話機から強制接続要求を受信した場合には、前記強制接続要求が為された旨のメッセージを前記相手先電話機に送信し、前記相手先電話機から強制接続了承のメッセージを受信した場合には、前記相手先電話機が現在接続している前記他の通話相手の電話回線接続を切断する要求を送信し、前記回線接続手段に対して前記ユーザ電話機と前記相手先電話機との電話回線を接続する要求を送信し、前記回線接続手段は、前記相手先電話機と前記他の通話相手との電話回線接続が切断後、前記ユーザ電話機と前記サーバとの電話回線と、前記相手先電話機と前記サーバとの電話回線とを互いに接続し、前記ユーザ電話機と前記相手先電話機との間で音声の送受信を行わせる、電話接続サービスシステムである。
【００２５】
本発明によって、ユーザが指定した条件を検索し、検索された相手先に対してサーバが自動的に相手先に対して架電をし、ユーザとサーバ間、相手先とサーバ間との回線接続を互いに接続することによって、お互いに匿名で電話をすることが可能となる。
【００２６】
又、相手先を指定した条件の中から不特定多数を母集団として検索し架電をするのではなく、ユーザが特定の相手先を架電する際に指定することも可能となる。この際には相手先を特定する一方で、前記同様、匿名で電話をすることが可能となる。
【００２７】
更に、ユーザがサーバに架電を第一に行うのではなく、ユーザ電話機のネットワーク機能を第一に用いて相手先を検索し指定することによって、そこから電話回線に切替え、相手先とお互いに電話をすることが可能となる。この際にも匿名での電話が可能である。
【００２８】
これらは、ユーザとサーバ間、相手先とサーバ間との電話回線接続を独立させており、その後それらの電話回線接続を互いにサーバ上で接続することによって、通話時間に応じた課金体制、即ち従量制の課金が可能となる。課金を行う際には、繋がったすぐに切断される場合等が想定される為、すぐに課金を開始するのではなく、一定時間経過後に課金を開始することによって、ユーザと相手先にとっては不満の少ないシステムとなっている。これは、ユーザ及び／又は相手先の電話機が携帯電話機であった場合、電波状況によっては回線が繋がってもすぐに切断される場合が発生する。このような場合にも課金を行うことは、ユーザ／相手先の不満をかき立てることとなり、一定時間経過後から課金開始とすることによって、お互いの不満を削減することが可能となる。
【００２９】
又、サーバ上で電話回線接続を管理できることによって、相手先はユーザに対して使った時間（即ち通話時間）に応じた対価を受領できることとなる。逆に課金する対象をユーザではなく相手先に対して行うことによって、所謂コレクトコールが可能となる。これは例えば通話が途中で切断された場合の相手先からのコールバック等に非常に有効である。
【００３０】
加えて、お互いの電話回線接続をサーバ上に於いて行うことによって、電話回線接続の状況の把握がサーバに於いて可能となる。これによってサーバは、既にサーバ上に於いて電話回線が接続されている相手に対して不要な架電を行わずに済む。又逆にユーザからの要求によって、相手先が同意した場合に強制的に現在の相手先の電話回線接続を切断し、新たな電話回線接続を行えることとなる。従来の電話システムに於いては、話し中の相手には通話することは出来なかったが、この発明によって、通話中の状態に於いても電話回線接続を確立することが可能となる。
【００３１】
【発明の実施の形態】
本発明の実施態様のシステム構成の一例を示したシステム構成図を図１に示す。サーバ２は、電話交換機能を有し、ユーザからの要求に応じてデータ検索を行い前記データ検索の結果に対して自動的に相手先に架電しその相手先とユーザとの電話回線接続をするサーバ２である。サーバ２は、会員登録手段７、認証手段８、回線受付手段１０、検索手段９、回線接続手段１２、相手先接続手段１１、課金手段１３、会員データベース１４、コンテンツデータベース１５を有している。
【００３２】
本実施態様に於いて、各手段、各データベースは単一のサーバ２上に具備しているがこれは説明の簡便化を図るためであり、実際には複数のサーバ上に分散されていてもよい。
【００３３】
会員登録手段７は、会員登録を管理する手段で、ユーザに対して会員登録画面を送信し、ユーザが会員登録画面に入力したデータを受信して、会員データベース１４に格納する。また、ユーザにＩＤ、パスワードを発行し、ＩＤ、パスワードをユーザに送信する手段である。又、会員登録手段７は、ユーザの相手先がいつであれば電話を接続しても良いかの接続可能時間を登録する手段である。この際には、例えば、「いつでも可能」「土日のみ」「平日の９時から１７時まで」のように、曜日、日時等の複数の条件を指定できることが好適である。
【００３４】
認証手段８は、会員の認証を管理する手段で、サーバ２の回線受付手段１０にかかってきたユーザの電話機（以下、ユーザ電話機３）の電話番号と会員データベース１４内の登録電話番号との照合や、認証画面をユーザ電話機３又はユーザが有する端末（ユーザ端末５）に送信して、認証画面に入力されたデータを受信してＩＤ、パスワードを会員データベース１４内に格納されているものと照合を行う手段である。
【００３５】
回線受付手段１０は、ユーザ電話機３からの回線接続要求を受け付ける手段で、ユーザ電話機３とサーバ２との電話回線接続を確立、切断する手段であって、ユーザに対して音声メッセージの返答等を行う手段である。ユーザの求める条件や指定ＩＤを受信して、そのデータを検索手段９に送信する。また、回線接続手段１２や相手先接続手段１１に接続要求を送信する。
【００３６】
検索手段９は、ユーザの求める検索条件や指定ＩＤを回線受付手段１０より受信して、検索条件や指定ＩＤに基づいて、会員データベース１４内より相手先を検索する手段である。
【００３７】
回線接続手段１２は、ユーザ電話機３とサーバ２の電話回線接続と、相手先電話機４とサーバ２の電話回線接続とを互いに接続する手段である。即ち回線受付手段１０と相手先接続手段１１との回線と接続させる手段である。
【００３８】
相手先接続手段１１は、回線受付手段１０や回線接続手段１２からの相手先へのアクセス要求を受信し、相手先電話機４への架電、相手先電話機４への音声メッセージ等を行う手段である。
【００３９】
課金手段１３は、ユーザ又は相手先に対してサービスの利用料金を徴求する手段であり、この利用料金を会員データベース１４に格納する手段である。
【００４０】
会員データベース１４は、会員の電話番号、氏名、性別、生年月日、住所、クレジットカード番号、銀行口座、ＩＤ、パスワード等を格納しているデータベースである。又相手先には、その接続可能時間が格納されているデータベースでもある。
【００４１】
コンテンツデータベース１５は、ユーザに送信する画面データを格納しているデータベースである。
【００４２】
【実施例】
ユーザが本電話接続サービスシステム１のプロセスは大別すると、会員登録プロセス、サービスプロセスから成っている。
【００４３】
会員登録プロセスの流れを説明する。図２にはユーザが有するユーザ電話機３から会員登録を行うプロセスの流れのフローチャート図、図３にはユーザが有するユーザ端末５から会員登録を行うプロセスの流れのフローチャート図、図４にはユーザが書類により会員登録を行うプロセスの流れのフローチャート図を示す。
【００４４】
まず、図２を用いてユーザが有するユーザ電話機３から会員登録を行うプロセスの流れを示す。この場合、ユーザは例えば、ｉ−ｍｏｄｅやＥＺ−ｗｅｂ等のネットワーク機能を有する電話機を有しているユーザ電話機３である。
【００４５】
ユーザは、ユーザ電話機３のネットワーク機能を用いて本電話接続サービスシステム１のサーバ２にアクセスする為のＵＲＬ（Ｕｎｉｆｏｒｍ  Ｒｅｓｏｕｒｃｅ  Ｌｏｃａｔｏｒ）を入力しサーバ２にアクセスを行う（Ｓ１００）。ＵＲＬの入力を受け付けたサーバ２の会員登録手段７は、サーバ２とユーザ電話機３との間の接続を確立する（Ｓ１１０）。
【００４６】
会員登録手段７は、図１３に示すメニュー画面をコンテンツデータベース１５から抽出し、ユーザ電話機３に送信する。ユーザはユーザ電話機３に表示されたメニュー画面から会員登録画面を選択する（Ｓ１２０）。ユーザが会員登録画面を選択すると、会員登録手段７はコンテンツデータベース１５から会員登録画面を抽出しユーザ電話機３に送信する。図１４に会員登録画面の一例を示す。
【００４７】
ユーザは会員登録画面に氏名、性別、生年月日、住所、電話番号、電子メールアドレス、決済の為のクレジットカード番号、銀行口座等の必要事項（会員登録データ）を入力し（Ｓ１３０）、サーバ２に送信する（Ｓ１４０）。サーバ２の会員登録手段７で会員登録データを受信すると（Ｓ１５０）、会員登録手段７はユーザに対してＩＤとパスワードを発行する（Ｓ１６０）。
【００４８】
Ｓ１６０に於いて発行したＩＤとパスワードとＳ１５０に於いて受信した会員登録データとを会員データベース１４に格納し、新規会員として追加する。又ユーザのユーザ電話機３に対してＳ１６０に於いて発行したＩＤとパスワードとを電子メール等の方法に於いて送信することで（Ｓ１７０）、会員登録プロセスが終了する。
【００４９】
次に、図３を用いてユーザが有するコンピュータ端末であるユーザ端末５から会員登録を行う場合のプロセスの流れを説明する。ユーザ端末５は、サーバ２のＵＲＬを入力することでネットワーク６を介してサーバ２にアクセスを行う（Ｓ２００）。
【００５０】
アクセス要求を受けたサーバ２の会員登録手段７は、ユーザ端末５との間の接続を確立し（Ｓ２１０）、メニュー画面をコンテンツデータベース１５から抽出し、送信する。メニュー画面からユーザが会員登録画面を選択すると（Ｓ２２０）、会員登録手段７はコンテンツデータベース１５から会員登録画面を抽出しユーザ端末５に送信する。
【００５１】
ユーザは会員登録画面に氏名、性別、生年月日、住所、電話番号、電子メールアドレス、決済の為のクレジットカード番号、銀行口座等の必要事項（会員登録データ）を入力し（Ｓ２３０）、サーバ２に送信する（Ｓ２４０）。サーバ２の会員登録手段７で会員登録データを受信すると（Ｓ２５０）、会員登録手段７はユーザに対してＩＤとパスワードを発行する（Ｓ２６０）。
【００５２】
Ｓ２６０に於いて発行したＩＤとパスワードとＳ２５０に於いて受信した会員登録データとを会員データベース１４に格納し、新規会員として追加する。又ユーザのユーザ端末５に対してＳ２６０に於いて発行したＩＤとパスワードとを電子メール等の方法に於いて送信する（Ｓ２７０）。ユーザはサーバ２から受信したＩＤとパスワードが記載された画面と本人確認の為の再アクセス画面のＵＲＬとを受信し、そのＵＲＬに記載された再アクセス画面に再アクセスを行うことによって会員登録プロセスが終了する（Ｓ２８０）。ここで、ユーザ端末５から会員登録を行う際に再アクセスを要求するのは、ユーザ電話機３はユーザ自らが有している為、いたずら等によって勝手に会員登録されることはほとんどないが、パソコン等のユーザ端末５の場合には、誰であっても容易に会員登録が行えてしまう為、それを防ぐことを目的として、再アクセスを要求している。
【００５３】
次に書類による会員登録のプロセスの流れを図４に示すフローチャート図を用いて詳細に説明する。ユーザは、本電話接続サービスシステム１を運営／管理している組織のサービスセンターに架電する（Ｓ３００）。サービスセンターに架電するとオペレータが応答し（Ｓ３１０）、ユーザは、会員登録を行う為の書類の送付先、被送付者名等の必要事項を応答する（Ｓ３２０）。
【００５４】
その後、サービスセンターが送付先へ書類送付を行い（Ｓ３３０）、その書類に氏名、性別、生年月日、住所、電話番号、電子メールアドレス、クレジットカード番号、銀行口座等の会員登録データをユーザが記入し、返送する（Ｓ３４０）。
【００５５】
サービスセンターはユーザから返送された書類の記載内容の確認を行い（Ｓ３５０）、記載内容に不備があった場合には本人へ連絡を取り（Ｓ３６０）、不備の修正を行う（Ｓ３７０）。
【００５６】
Ｓ３５０に於いて確認の結果不備がない場合、又はＳ３７０に於いて不備の修正が行われた場合、サーバ２の会員登録手段７を介して会員データベース１４に格納し会員登録を行う（Ｓ３８０）。この際に、会員登録手段７は、ユーザのＩＤとパスワードとを発行し（Ｓ３９０）、このＩＤとパスワードも会員データベース１４に格納される。サービスセンターは、ユーザに対してＩＤとパスワードとを送付し（Ｓ４００）、ユーザがそれを受領することによって会員登録が終了する。
【００５７】
次に、電話接続サービスシステム１のサービスプロセスの流れについて説明する。サービスプロセスは、その例としてユーザが予め登録している条件に基づいて自動的に相手先を検索し相手先と匿名で電話を接続するノーマルサービス、ユーザが指定する相手先に匿名で電話を接続するプレミアサービス、写真等の画像データを参照しながら相手先を検索し、その相手先に対して電話を匿名で接続するフォトリンクサービス、匿名で電話を接続でき、且つ電話の相手先に利用料金が課金されるコレクトコールサービスがその一例として存在している。
【００５８】
まず、ノーマルサービスのプロセスの流れの一例を、図５と図６に示すフローチャート図に基づいて詳細に説明する。
【００５９】
会員登録を終了したユーザは、本電話接続サービスシステム１を利用する場合には、ユーザ電話機３から指定されている電話番号に架電する（Ｓ５００）。この際にユーザ電話機３の電話番号は発信通知されていることが好適である。
【００６０】
Ｓ５００に於いてユーザがサーバ２に架電すると、その接続要求は、サーバ２の回線受付手段１０で受け付けられ、ユーザ電話機３とサーバ２の接続が確立される（Ｓ５１０）。
【００６１】
接続が確立された際に、回線受付手段１０はユーザ電話機３の電話番号を受信することによって、それを認証手段８に送信し、認証手段８は、会員データベース１４内に電話番号が登録されている電話番号か否かを認証する（Ｓ５２０）。
【００６２】
Ｓ５２０に於ける認証の結果、電話番号が登録されていない場合には、認証手段８は回線受付手段１０を介してユーザ電話機３に「電話番号が登録されておりません。会員登録後お掛け直し下さい」等の非認証メッセージを流し（Ｓ５３０）、回線受付手段１０に回線切断要求を送信する。回線受付手段１０は、回線切断要求を受信すると、ユーザ電話機３との間の電話回線を自動切断する（Ｓ５４０）。
【００６３】
Ｓ５２０に於ける認証の結果、電話番号が登録されていた場合には、その電話番号を有する会員登録データと検索条件とを抽出し、その検索条件に基づいて相手先の検索を行う検索要求を検索手段９に送信し、検索手段９は会員データベース１４から条件に該当する相手先の検索を行う（Ｓ５５０）。この検索の際に、ユーザの検索条件のみならず、相手先の接続可能時間とも比較することによって、相手先が電話に応答しない等のリスクを軽減することが可能となる。
【００６４】
Ｓ５５０に於ける検索の結果、検索条件に該当する相手先が存在しなかった場合、検索手段９は、回線受付手段１０を介して「該当者が見つかりませんでした」等の該当者なしメッセージを流し（Ｓ５６０）、回線受付手段１０に回線切断要求を送信する。回線受付手段１０は、回線切断要求を受信すると、ユーザ電話機３との間の電話回線を自動切断する（Ｓ５７０）。
【００６５】
Ｓ５５０に於ける検索の結果、該当者が存在した場合、検索手段９は、回線受付手段１０を介してユーザ電話機３に「相手先を呼び出しています。しばらくお待ち下さい」等の接続待ちメッセージを流す。又検索手段９は、該当者の一覧と該当者の会員登録データとを抽出し、相手先接続手段１１を介して相手先電話機４に架電する（Ｓ５９０）。
【００６６】
Ｓ５９０に於いて架電した相手先が規定コール数以内に電話に応答しない場合には（Ｓ６００）、その相手先との電話回線を自動切断し次の該当者に対して架電する（Ｓ６１０）。Ｓ５９０からＳ６１０を該当者が存在する限り（あるいは予め定められた人数の間）繰り返し、どの該当者も電話に応答しない、あるいは予め定められた人数の該当者に架電したが応答しない等の場合、検索手段９は回線受付手段１０を介して「相手先が電話に応答しませんでした。時間をずらして再度お掛け直し下さい。」等の最終音声メッセージを流し（Ｓ６２０）、回線受付手段１０に回線切断要求を送信する。回線受付手段１０は、回線切断要求を受信すると、ユーザ電話機３との間の電話回線を自動切断する（Ｓ６３０）。
【００６７】
Ｓ６００に於いて相手先が電話に応答した場合、検索手段９は相手先接続手段１１を介して相手先電話機４に「ＩＤ●●●●●様（ユーザのＩＤ番号）から呼出です」等の呼出メッセージを流す。同時に検索手段９は、回線受付手段１０を介して「ＩＤ×××××様（相手先のＩＤ番号）へ接続を行います」等の呼出メッセージを流す（Ｓ６４０）。ユーザ電話機３、相手先電話機４の呼出メッセージ終了後、検索手段９は回線接続手段１２に対して回線接続要求を送信する。回線接続要求を受信した回線接続手段１２は、回線受付手段１０に於けるユーザ電話機３と相手先接続手段１１に於ける相手先電話機４との電話回線を接続する（Ｓ６５０）。これによって、ユーザと相手先が直に通話可能状態となる。又この際には、相手先にはユーザのＩＤ番号のみ、ユーザには相手先のＩＤ番号のみしか通知されない為、お互いに匿名での通話が可能となる。
【００６８】
Ｓ６５０に於いて回線接続後、相手先が接続開始後予め定められた時間内（例えば１０秒）に切断した場合、あるいは接続状況が不安定（例えば電波の状況が悪い）で接続が切断された場合には（Ｓ６６０）、その回線切断を受けて検索手段９は、次の該当者に架電する（即ち、Ｓ６１０に戻る）。予め定められた時間内に切断した／された場合にはユーザはサービス利用料金は支払わなくても良い。
【００６９】
接続開始から予め定められた時間を経過後、まだユーザと相手先との通話が継続しているようであれば、回線受付手段１０は課金手段１３に対して課金を開始するよう課金要求を送信する（Ｓ６７０）。Ｓ６５０に於いて開始された回線接続は、どちらかが回線切断を行うことによって終了する（Ｓ６８０）。Ｓ６８０の回線切断を受けて回線切断を行った側が（ユーザが回線切断した場合には回線受付手段１０が、相手先が回線切断した場合には相手先接続手段１１が）、課金手段１３に対して課金終了要求を送信し、それを課金手段１３で受信することによって、当該接続の課金が終了する。課金手段１３は、会員データベース１４のユーザに対して課金データの追加を行う。
【００７０】
Ｓ６８０に於いて回線切断後、回線受付手段１０は、ユーザ電話機３に「回線が切断されました。利用金額は○○円です。」との切断音声メッセージを流す。
又相手先接続手段１１は相手先電話機４に「回線が切断されました。あなたへの報酬は○○円です。」との切断音声メッセージを流す（Ｓ６９０）。相手先に対して支払われる報酬は、ユーザの利用金額に一定の割合を乗じたもの、あるいは通話時間に応じた定額等の手法で算出すればよい。
【００７１】
双方に切断音声メッセージを流した後、ユーザとサーバ２の回線受付手段１０、相手先とサーバ２の相手先接続手段１１の各々の電話回線を自動的に切断する（Ｓ７００）。以上によって、ノーマルサービスが終了する。
【００７２】
次に他の実施例であるプレミアサービスのプロセスの流れの一例を図７から図９に示すフローチャート図を用いて詳細に説明する。ノーマルサービスと重複する部分については省略する。ここで、プレミアサービスとは、特定の相手に匿名で電話を接続するサービスを意味している。
【００７３】
会員登録を終了したユーザは、本電話接続サービスシステム１を利用する場合には、ユーザ電話機３から指定されている電話番号に相手先ＩＤを付加して架電する（Ｓ８００）。例えば、ＩＤ番号が１２３４５の相手先と接続したい場合には、「電話番号＃１２３４５」のように架電すればよい。この際にユーザ電話機３の電話番号は発信通知されていることが好適である。
【００７４】
Ｓ８００に於いてユーザがサーバ２に架電すると、その接続要求は、サーバ２の回線受付手段１０で受け付けられ、ユーザ電話機３とサーバ２の接続が確立される（Ｓ８１０）。
【００７５】
接続が確立された際に、回線受付手段１０はユーザ電話機３の電話番号を受信することによって、それを認証手段８に送信し、認証手段８は、会員データベース１４内の電話番号が登録されている電話番号か否かを認証する（Ｓ８２０）。
【００７６】
Ｓ８２０に於ける認証の結果、電話番号が登録されていない場合には、認証手段８は回線受付手段１０を介してユーザ電話機３に「電話番号が登録されておりません。会員登録後お掛け直し下さい」等の非認証メッセージを流し（Ｓ８３０）、回線受付手段１０に回線切断要求を送信する。回線受付手段１０は、回線切断要求を受信すると、ユーザ電話機３との間の電話回線を自動切断する（Ｓ８４０）。
【００７７】
Ｓ８２０に於ける認証の結果、電話番号が登録されていた場合には相手先のＩＤに基づいて会員データベース１４を検索し、相手先が存在しているか否かを検索する（Ｓ８５０）。相手先ＩＤが存在していなければ、検索手段９は、回線受付手段１０を介して「該当者が見つかりませんでした」等の該当者なしメッセージを流し（Ｓ８６０）、回線受付手段１０に回線切断要求を送信する。回線受付手段１０は、回線切断要求を受信すると、ユーザ電話機３との間の電話回線を自動切断する（Ｓ８７０）。
【００７８】
Ｓ８５０の検索の結果、相手先ＩＤが存在していた場合、その相手先が接続可能時間であるか否かを会員データベース１４に於いて判断する（Ｓ８８０）。相手先の接続可能時間外である場合には、ユーザ電話機３に対して検索手段９は、回線受付手段１０を介して「相手先の接続可能時間ではないのでお繋ぎ出来ません。接続可能時間に再度お掛け直し下さい。」とオフラインメッセージを流し（Ｓ８９０）、回線受付手段１０に回線切断要求を送信する。回線受付手段１０は、回線切断要求を受信すると、ユーザ電話機３との間の電話回線を自動切断する（Ｓ９００）。
【００７９】
Ｓ８８０の検索の結果、相手が接続可能時間であった場合、相手が現在通話待機中か否か、即ち相手先電話機４が本電話接続サービスシステム１を介して接続されているか否かを検索する（Ｓ９１０）。
【００８０】
相手先電話機４が本電話接続サービスシステム１を利用していない場合、検索手段９は、相手先接続手段１１を介して相手先電話機４に架電する（Ｓ９２０）。架電の結果、相手が通話状態、即ち、本電話接続サービスシステム１を利用していないものの、相手先電話機４を使用している状態（話中音が流れる状態）である場合もしくは、相手先が規定コール内に応答しない場合には、検索手段９は回線受付手段１０を介して「相手先が電話に応答しませんでした。時間をずらして再度お掛け直し下さい。」等の最終音声メッセージを流し（Ｓ９４０）、回線受付手段１０に回線切断要求を送信する。回線受付手段１０は、回線切断要求を受信すると、ユーザ電話機３との間の電話回線を自動切断する（Ｓ９５０）。
【００８１】
相手先電話機４が応答をした場合、検索手段９は相手先接続手段１１を介して相手先電話機４に「ＩＤ●●●●●様（ユーザのＩＤ番号）から呼出です」等の呼出メッセージを流す。同時に検索手段９は、回線受付手段１０を介して「ＩＤ１２３４５様（相手先のＩＤ番号）へ接続を行います」等の呼出メッセージを流す（Ｓ９６０）。ユーザ電話機３、相手先電話機４の呼出メッセージ終了後、検索手段９は回線接続手段１２に対して回線接続要求を送信する。回線接続要求を受信した回線接続手段１２は、回線受付手段１０に於けるユーザ電話機３と相手先接続手段１１に於ける相手先電話機４との電話回線を接続する（Ｓ９７０）。
これによって、ユーザと相手先が直に通話可能状態となる。又この際には、相手先にはユーザのＩＤ番号のみ、ユーザには相手先のＩＤ番号のみしか通知されない為、お互いに匿名での通話が可能となる。
【００８２】
Ｓ９１０に於いて相手先電話機４が待機中でない場合、即ち本電話接続サービスシステム１を使用して通話中である場合、検索手段９は回線受付手段１０を介してユーザ電話機３に「相手先は通話中です。相手先の通話を切断しあなたの通話を接続する強制接続を行いますか？」と強制接続確認メッセージを流す（Ｓ９７５）。ユーザが強制接続を行うか否かをユーザ電話機３のボタンで選択し（Ｓ９８０）、強制接続を行わない場合には、検索手段９は回線受付手段１０に回線切断要求を送信する。回線受付手段１０は、回線切断要求を受信すると、ユーザ電話機３との間の電話回線を自動切断する（Ｓ９８５）。
【００８３】
Ｓ９８０に於いて強制接続を行うことをユーザが選択した場合、検索手段９は相手先接続手段１１を介して強制的に相手の電話回線に割り込み、あるいは音声を上書きして「ＩＤ●●●●●様（ユーザのＩＤ番号）からの呼出です。現在の通話を切断してＩＤ●●●●●様（ユーザのＩＤ番号）との通話を開始しますか」と強制接続了承メッセージを相手先電話機４に流す（Ｓ９９０）。相手先がユーザの強制接続を了承するか否かを相手先電話機４のボタンで選択し（Ｓ１０００）、相手先が強制接続を拒否した場合には、検索手段９は回線受付手段１０を介して「ＩＤ１２３４５様より強制接続を拒否されました。」と強制接続拒否メッセージをユーザ電話機３に流し（Ｓ１０１０）、検索手段９は回線受付手段１０に回線切断要求を送信する。回線受付手段１０は、回線切断要求を受信すると、ユーザ電話機３との間の電話回線を自動切断する（Ｓ１０２０）。
【００８４】
Ｓ１０００に於いて相手先が強制接続を了承した場合、検索手段９は相手先接続手段１１を介して相手先の通話相手が使用している、ユーザとは異なる回線受付手段１０、あるいは相手先接続手段１１に対して回線切断要求を送信し、相手先の通話相手の電話回線を自動切断する（Ｓ１０３０）。この際に相手先の通話相手には「強制接続をＩＤ１２３４５様が了承した為通話を切断しました」との強制接続結果メッセージを流すことが好適である。Ｓ１０３０によって、相手先の通話相手の電話回線を切断後、検索手段９は回線接続手段１２に対して回線接続要求を送信する。回線接続要求を受信した回線接続手段１２は、回線受付手段１０に於けるユーザ電話機３と、相手先電話機４が使用している相手先接続手段１１又は回線受付手段１０との電話回線を接続する（Ｓ９７０）。
【００８５】
Ｓ９７０に於いて回線接続後、ユーザ又は相手先が接続開始後予め定められた時間内（例えば１０秒）に切断した場合、あるいは接続状況が不安定（例えば電波の状況が悪い）で接続が切断された場合には（Ｓ１０４０）、回線受付手段１０はユーザ電話機３／相手先電話機４に対して「通話が切断されました」と切断音声メッセージを流す（Ｓ１０５０）。予め定められた時間内に切断した／された場合にはユーザはサービス利用料金は支払わなくても良い。但し、強制接続を行っている場合には、強制接続料金を課金手段１３を介してユーザに課金することが好適であるが、行わなくても良い。切断音声メッセージ後、ユーザ電話機３と回線受付手段１０／相手先電話機４と相手先接続手段１１との電話回線を自動的に切断する（Ｓ１０６０）。
【００８６】
接続開始から予め定められた時間を経過後、まだユーザと相手先との通話が継続しているようであれば、回線受付手段１０は課金手段１３に対して課金を開始するよう課金要求を送信する（Ｓ１０７０）。Ｓ９７０に於いて開始された回線接続は、どちらかが回線切断を行うことによって終了する（Ｓ１０８０）。Ｓ１０８０の回線切断を受けて回線切断を行った側が（ユーザが回線切断した場合には回線受付手段１０が、相手先が回線切断した場合には相手先接続手段１１が）、課金手段１３に対して課金終了要求を送信し、それを課金手段１３で受信することによって、当該接続の課金が終了する。課金手段１３は、会員データベース１４のユーザに対して課金データの追加を行う。
【００８７】
Ｓ１０８０に於いて回線切断後、回線受付手段１０は、ユーザ電話機３に「回線が切断されました。利用金額は○○円です。」との切断音声メッセージを流す。又相手先接続手段１１は相手先電話機４に「回線が切断されました。あなたへの報酬は○○円です。」との切断音声メッセージを流す（Ｓ１０９０）。相手先に対して支払われる報酬は、ユーザの利用金額に一定の割合を乗じたもの、あるいは通話時間に応じた定額等の手法で算出すればよい。又ユーザが強制接続を行った場合、ユーザの利用金額は、強制接続を行わない場合よりも高額を徴求することが好適である。
【００８８】
双方に切断音声メッセージを流した後、ユーザ電話機３とサーバ２の回線受付手段１０、相手先電話機４とサーバ２の相手先接続手段１１／回線受付手段１０の各々の電話回線を自動的に切断する（Ｓ１１００）。以上によって、プレミアサービスが終了する。
【００８９】
次に他の実施例の一例である、フォトリンクサービスのプロセスの流れを図１０に示すフローチャート図を用いて詳細に説明する。尚、フォトリンクサービスとは、写真等の画像データを参照しながらその相手先に対して電話を匿名で接続するサービスを意味する。又ノーマルサービス、プレミアサービスと重複する部分については省略する。
【００９０】
会員登録を終了したユーザは、本電話接続サービスシステム１を利用する場合には、ユーザ電話機３からユーザ電話機３のネットワーク機能を使用し、本電話接続サービスシステム１を利用する為のＵＲＬを入力し（Ｓ１２００）、認証手段８を介してホームページに接続する（Ｓ１２１０）。ホームページへ接続後、認証手段８はコンテンツデータベース１５から認証画面を抽出し、ユーザ電話機３に送信する。認証画面の一例を図１５に示す。
【００９１】
ユーザ電話機３は認証画面に会員登録の際にユーザに付与されたＩＤとパスワードを入力し（Ｓ１２２０）、サーバ２２に送信する。サーバ２２の認証手段８でＩＤとパスワードを受信すると、会員データベース１４からＩＤとパスワードの認証を行う（Ｓ１２３０）。
【００９２】
Ｓ１２３０の認証の結果、不正なユーザである場合には、再入力要求を認証手段８は、ユーザ電話機３に送信し（Ｓ１２４０）、再入力を促す。Ｓ１２３０に於ける認証の結果が正常であれば、検索手段９は、コンテンツデータベース１５から会員専用画面をユーザ電話機３に送信する。図１６に会員専用画面の一例を示す。
【００９３】
会員専用画面を受信したユーザはフォトリンク画面を選択し（Ｓ１２５０）、検索手段９は、コンテンツデータベース１５からフォトリンク画面を抽出し、ユーザ電話機３に送信する。フォトリンク画面の一例を図１７に示す。
【００９４】
ユーザはフォトリンク画面から検索条件を入力し、サーバ２の検索手段９に送信することによって、会員データベース１４から相手先検索を行う（Ｓ１２６０）。相手先検索後、検索手段９はユーザ電話機３に検索結果を送信し、ユーザは検索結果を閲覧し、その中から特定の相手先を選択することで、検索手段９は、会員データベース１４から相手先が公開している写真等の画像データを含む会員データ画面をユーザ電話機３に送信する。会員データ画面の一例を図１８に示す。会員データ画面には相手先の通話状態や接続可能時間を示す表示が為されていても良い。
【００９５】
ユーザは会員データ画面を閲覧後、会員データ画面から、「この人に接続」ボタンを選択することによって、接続要求を送信する（Ｓ１２７０）。この際に、ユーザ電話機３のネットワーク機能は切断され、電話機能に切替わる。即ちユーザの電話回線が回線受付手段１０で確保されることとなる。又ユーザが選択した相手先が、接続可能時間であるか否かを会員データベース１４から検索し（Ｓ１２８０）、相手先の接続可能時間外である場合には、ユーザ電話機３に対して検索手段９は、回線受付手段１０を介して「相手先の接続可能時間ではないのでお繋ぎ出来ません。接続可能時間に再度お掛け直し下さい。」とオフラインメッセージを流し（Ｓ１２９０）、電話機能からネットワーク機能に再び切替え、フォトリンク画面を表示し（Ｓ１３００）、Ｓ１２６０に戻る。会員データ画面に接続可能時間が表示されている場合には、接続可能時間であるか否かの検索プロセスは省略されても良い。
【００９６】
Ｓ１２８０の検索の結果、相手の接続可能時間であった場合、「ＩＤ１２３４５７７７７様（ユーザが選択した相手先のＩＤ番号）に接続を試みます」との接続開始メッセージを流し（Ｓ１３１０）、以降のプロセスはプレミアサービスのＳ９１０以降と同様のプロセスを繰り返す。
【００９７】
次に本発明の他の実施例として、ユーザが匿名で電話を接続でき、且つ電話の相手先に利用料金が課金されるコレクトコールサービスのプロセスの流れの一例を図１１及び図１２に示すフローチャート図を用いて詳細に説明する。尚、ノーマルサービス、プレミアサービス、フォトリンクサービスと重複する部分は省略する。
【００９８】
Ｓ１４００からＳ１５００は、プレミアサービスのＳ８００からＳ９００と同様なので省略する。相手先電話機４が接続可能状態である場合、相手先接続手段１１は、相手先電話機４に架電をする（Ｓ１５１０）。
【００９９】
架電の結果、相手先が通話状態である場合もしくは、相手先が規定コール内に応答しない場合には（Ｓ１５２０）、検索手段９は回線受付手段１０を介して「相手先が電話に応答しませんでした。時間をずらして再度お掛け直し下さい。」等の最終音声メッセージを流し（Ｓ１５３０）、回線受付手段１０に回線切断要求を送信する。回線受付手段１０は、回線切断要求を受信すると、ユーザ電話機３との間の電話回線を自動切断する（Ｓ１５４０）。
【０１００】
相手先が電話に応答した場合、「ＩＤ●●●●●様（ユーザのＩＤ番号）からのコレクトコールサービスによる接続です。通話には１分あたり△円のサービス利用料金をあなた様が支払う必要があります。コレクトコールを了承しますか」とコレクトコール申請メッセージを相手先接続手段１１を介して流す（Ｓ１５５０）。相手先が相手先電話機４のボタンでコレクトコールを了承するか否かを選択し（Ｓ１５６０）、コレクトコールを拒否しないことを選択した場合には、検索手段９は、回線受付手段１０を介して「コレクトコールは拒否されました」とコレクトコール拒否メッセージをユーザ電話機３に流し（Ｓ１５７０）、回線受付手段１０に回線切断要求を送信する。回線受付手段１０は、回線切断要求を受信すると、ユーザ電話機３との間の電話回線を自動切断する（Ｓ１５８０）。
【０１０１】
相手先がコレクトコールを了承した場合には、検索手段９は回線接続手段１２に対して回線接続要求を送信する。回線接続要求を受信した回線接続手段１２は、回線受付手段１０に於けるユーザ電話機３と相手先接続手段１１に於ける相手先電話機４との電話回線を接続する（Ｓ１５８０）。これによって、ユーザと相手先が直に通話可能状態となる。又この際には、相手先にはユーザのＩＤ番号のみ、ユーザには相手先のＩＤ番号のみしか通知されない為、お互いに匿名での通話が可能となる。
【０１０２】
Ｓ１５８０に於いて回線接続後、相手先が接続開始後予め定められた時間内（例えば１０秒）に切断した場合、あるいは接続状況が不安定（例えば電波の状況が悪い）で接続が切断された場合には（Ｓ１６００）、回線受付手段１０／相手先接続手段１１はユーザ電話機３／相手先電話機４に対して「通話が切断されました」と切断音声メッセージを流す（Ｓ１６１０）。予め定められた時間内に切断した／された場合には相手先はサービス利用料金は支払わなくても良い。又ユーザ電話機３と回線受付手段１０、相手先電話機４と相手先接続手段１１との電話回線接続を切断する（Ｓ１６２０）。
【０１０３】
接続開始から予め定められた時間を経過後、まだユーザと相手先との通話が継続しているようであれば、回線受付手段１０は課金手段１３に対して課金を開始するよう課金要求を送信する（Ｓ１６３０）。Ｓ１５９０に於いて開始された回線接続は、どちらかが回線切断を行うことによって終了する（Ｓ１６４０）。Ｓ１６４０の回線切断を受けて回線切断を行った側が（ユーザが回線切断した場合には回線受付手段１０が、相手先が回線切断した場合には相手先接続手段１１が）、課金手段１３に対して課金終了要求を送信し、それを課金手段１３で受信することによって、当該接続の課金が終了する。課金手段１３は、会員データベース１４の相手先に対して課金データの追加を行う。
【０１０４】
Ｓ１６４０に於いて回線切断後、回線受付手段１０は、ユーザ電話機３に「回線が切断されました。あなたの報酬金額は○○円です。」との切断音声メッセージを流す。又相手先接続手段１１は相手先電話機４に「回線が切断されました。
あなたのサービス利用料金は●●円です。」との切断音声メッセージを流す（Ｓ１６５０）。ユーザに対して支払われる報酬は、相手先の利用金額に一定の割合を乗じたもの、あるいは通話時間に応じた定額等の手法で算出すればよい。又場合によってはユーザに対しては報酬は支払われなくても良い。
【０１０５】
双方に切断音声メッセージを流した後、ユーザ電話機３とサーバ２との電話回線接続、相手先電話機４とサーバ２との電話回線接続を自動的に切断する（Ｓ１６６０）。以上によって、コレクトコールサービスが終了する。
【０１０６】
以上のように、ノーマルサービス、プレミアサービス、フォトリンクサービス、コレクトコールサービスに於いてユーザが利用した利用料金と報酬とを一定期間毎に集計し、利用料金＞報酬の場合には、会員データベース１４に格納しているクレジットカード番号に基づいてユーザに対して利用料金を徴求し、利用料金＜報酬の場合には、会員データベース１４に格納している銀行口座番号に基づいてユーザに差額の支払いを行えばよい。又決済の際には、クレジットカード、銀行振込のみならずそれ以外の手法を用いても良いし、金融機関も消費者金融、証券会社、保険会社、カード会社等複数の金融機関を用いても良い。この際にはＡＴＭ機又はＣＤ機を使用することが好適である。
【０１０７】
本実施態様に於いてはユーザに対しては利用料金が発生し、相手先は報酬を受領できるが、これはポイント等の換金性／非換金性のインセンティブに置き換えても良いことは言うまでもない。
【０１０８】
尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによって実現されることは当然である。
【０１０９】
この場合、記憶媒体から読み出されたプログラム自体が前記した実施態様の機能を実現することとなり、そのプログラムを記憶した記憶媒体は本発明を当然のことながら構成することになる。
【０１１０】
プログラムコードを供給するための記憶媒体としては、例えばフロッピーディスク、ハードディスク、光ディスク、光磁気ディスク、磁気テープ、不揮発性のメモリカード等を使用することができる。
【０１１１】
また、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部または全部を行い、その処理によって前記した実施態様の機能が実現される場合も含まれることは言うまでもない。
【０１１２】
さらに、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。
【０１１３】
【発明の効果】
本発明によって、ユーザは迅速に匿名で、ユーザが知りたい分野の情報を知っていそうな人間（相手先）と電話で会話することが可能となり、相手先から知りたい情報を入手することが可能となる。相手先は、ユーザと会話をすることによって、ユーザから報酬を受領できる為、利益を享受できることとなる。又従来のようにパーソナルコンピュータ等の機器を所持していなくとも、通常、ユーザが所持しているネットワーク機能を有する電話機を用いることによって、例えば外出先等でパーソナルコンピュータが使用できない場合でも、情報を入手することが可能となる。
【図面の簡単な説明】
【図１】  本発明のシステム構成の一例を示すシステム構成図である。
【図２】  ユーザ電話機から会員登録を行う際のプロセスの流れの一例を示したフローチャート図である。
【図３】  ユーザ端末から会員登録を行う際のプロセスの流れの一例を示したフローチャート図である。
【図４】  ユーザが書類により会員登録を行う際のプロセスの流れの一例を示したフローチャート図である。
【図５】  ノーマルサービスのプロセスの流れの一例を示したフローチャート図の一ページ目である。
【図６】  ノーマルサービスのプロセスの流れの一例を示したフローチャート図の二ページ目である。
【図７】  プレミアサービスのプロセスの流れの一例を示したフローチャート図の一ページ目である。
【図８】  プレミアサービスのプロセスの流れの一例を示したフローチャート図の二ページ目である。
【図９】  プレミアサービスのプロセスの流れの一例を示したフローチャート図の三ページ目である。
【図１０】フォトリンクサービスのプロセスの流れの一例を示したフローチャート図である。
【図１１】コレクトコールサービスのプロセスの流れの一例を示したフローチャート図の一ページ目である。
【図１２】コレクトコールサービスのプロセスの流れの一例を示したフローチャート図の二ページ目である。
【図１３】メニュー画面の一例を示した図である。
【図１４】会員登録画面の一例を示した図である。
【図１５】認証画面の一例を示した図である。
【図１６】会員専用画面の一例を示した図である。
【図１７】フォトリンク画面の一例を示した図である。
【図１８】会員データ画面の一例を示した図である。
【符号の説明】
１：電話接続サービスシステム
２：サーバ
３：ユーザ電話機
４：相手先電話機
５：ユーザ端末
６：ネットワーク
７：会員登録手段
８：認証手段
９：検索手段
１０：回線受付手段
１１：相手先接続手段
１２：回線接続手段
１３：課金手段
１４：会員データベース
１５：コンテンツデータベース
【図１】
0004656751.tif 000002
【図２】
0004656751.tif 000003
【図３】
0004656751.tif 000004
【図４】
0004656751.tif 000005
【図５】
0004656751.tif 000006
【図６】
0004656751.tif 000007
【図７】
0004656751.tif 000008
【図８】
0004656751.tif 000009
【図９】
0004656751.tif 000010
【図１０】
0004656751.tif 000011
【図１１】
0004656751.tif 000012
【図１２】
0004656751.tif 000013
【図１３】
0004656751.tif 000014
【図１４】
0004656751.tif 000015
【図１５】
0004656751.tif 000016
【図１６】
0004656751.tif 000017
【図１７】
0004656751.tif 000018
【図１８】
0004656751.tif 000019